(57)【要約】【目的】  摺りゴムにより形成された断熱空間に配設されたヒータ線へ接続されるリード線を扉フレームに形成されたガイド溝に配線することにより、ヒータに関する配線作業を容易化した貯蔵庫を提供する。【構成】  断熱空間６３内に設置されたヒータ線６４に対して給電を行うリード線２８を断熱空間６３内へ導く際の配線において、断熱開閉扉８の周縁を形成する扉フレーム２０にパッキン１３を固定する差込溝２７と一体に形成されたガイド溝２９を通して配線するように構成する。【選択図】  図２
2005147476.tif 000002
【特許請求の範囲】
【請求項１】
周囲を断熱パネルで囲まれた断熱箱体と、
前記断熱箱体の一側面に設けられ、下縁が設置面に対して開放された開口部と、
前記開口部を開閉する断熱開閉扉と、
前記断熱開閉扉の周縁を形成する扉フレームと、
前記扉フレームに設けられ、閉扉時に庫内の冷気が漏れ出さないように密封するパッキンと、
前記断熱開閉扉の下縁部に設けられ、前記開口部の下縁を閉時に密閉、断熱させる摺りゴムと、
前記摺りゴムにより前記断熱開閉扉の下縁部に形成された断熱空間と、
前記断熱空間に設けられ、両端がリード線を介して電源に接続されているヒータ線とを有する貯蔵庫において、
前記扉フレームに設けられ、前記パッキンを固定する固定部と、
前記扉フレームに前記パッキンを固定する固定部と一体に形成されたガイド溝とを備え、
前記リード線は、前記ガイド溝に配線されるとともに、前記断熱空間に設けられたヒータ線に接続されることを特徴とする貯蔵庫。
【請求項２】
前記リード線が配線された前記ガイド溝の開放部は、前記パッキンを前記固定部に固定することによりパッキンにより被覆されることを特徴とする請求項１に記載の貯蔵庫。
【請求項３】
前記リード線が配線された前記ガイド溝の開放部における縁部には、リード線がガイド溝に嵌入される方向と交差する方向に突起が設けられていることを特徴とする請求項１又は請求項２に記載の貯蔵庫。
【発明の詳細な説明】
【技術分野】
【０００１】
本発明は、断熱開閉扉の下端部において冷気を遮断する断熱空間の凍りつき及び床面との結露を防止するヒータ線を有する貯蔵庫に関し、特に、ヒータ線の取り付けを容易化した貯蔵庫に関するものである。
【背景技術】
【０００２】
従来より、庫外から庫内へと台車等で貯蔵物の出し入れを行うために、開口部床面に敷居を形成せず、出入口の下縁部が設置面に対して開口された所謂ロールインタイプの貯蔵庫において、閉扉時の密閉性確保のため、断熱開閉扉下縁部に、その下縁が設置面に摺接してなる摺りゴムが使用された貯蔵庫が種々提案されている。しかし、このような摺りゴムが使用された貯蔵庫においては、開口下面における結露や凍結を防止するため、開閉扉下面に装着される摺りゴムにより形成される断熱空間に、密閉された空気を加温するためのヒータを埋設する必要がある。例えば、特開２００１−２８０８０６号公報には、摺りゴムと床面との間に構成された断熱空間に対向して、熱伝導性に優れた金属板のヒータ取付板にヒータ線を取り付けたヒータ部が設置され、断熱空間の空気全体を均一且つ迅速に加温して、摺りゴム付近の結露、凍結等を効率よく迅速に防止することが可能なプレハブ式冷凍庫が記載されている。
【特許文献１】特開２００１−２８０８０６号公報（第４頁〜第５頁、図３〜図５）
【発明の開示】
【発明が解決しようとする課題】
【０００３】
しかしながら、前記した特許文献１にかかるプレハブ式冷凍庫では、電源部からヒータ部への給電は、断熱開閉扉内に埋設された配線誘導パイプ内を通して行われていたので、ヒータ線に給電を行うリード線をパイプ内に通して配設しなければならなかった。それにより、ヒータ部の取り付け作業は煩雑なものとなり、また、別途パイプ部材が必要なことからコストアップを招くことにもなっていた。更に、断熱開閉扉を形成する際には、壁部に囲まれた空間内に発泡ポリウレタン材を充填することにより行われるが、その際、埋設されたパイプが障害物となって充填不良の原因となる虞があった。
本発明は、前記従来の技術における問題点を解消するためになされたものであり、リード線を扉フレームに形成されたガイド溝に配置することにより配線を行うので、断熱空間へのヒータ線の取り付けに際し、リード線の配線作業を容易に行うことが可能となるとともに、装置製造に関する作業工数を減らし、コストダウンを可能とした貯蔵庫を提供することを目的とする。
【課題を解決するための手段】
【０００４】
前記目的を達成するために、請求項１に係る貯蔵庫は、周囲を断熱パネルで囲まれた断熱箱体と、前記断熱箱体の一側面に設けられ、下縁が設置面に対して開放された開口部と、前記開口部を開閉する断熱開閉扉と、前記断熱開閉扉の周縁を形成する扉フレームと、前記扉フレームに設けられ、閉扉時に庫内の冷気が漏れ出さないように密封するパッキンと、前記断熱開閉扉の下縁部に設けられ、前記開口部の下縁を閉時に密閉、断熱させる摺りゴムと、前記摺りゴムにより前記断熱開閉扉の下縁部に形成された断熱空間と、前記断熱空間に設けられ、両端がリード線を介して電源に接続されているヒータ線とを有する貯蔵庫において、前記扉フレームに設けられ、前記パッキンを固定する固定部と、前記扉フレームに前記パッキンを固定する固定部と一体に形成されたガイド溝とを備え、前記リード線は、前記ガイド溝に配線されるとともに、前記断熱空間に設けられたヒータ線に接続されることを特徴とする。
【０００５】
また、請求項２に係る貯蔵庫は、請求項１に記載の貯蔵庫において、前記リード線が配線された前記ガイド溝の開放部は、前記パッキンを前記固定部に固定することによりパッキンにより被覆されることを特徴とする。
【０００６】
また、請求項３に係る貯蔵庫は、請求項１又は請求項２に記載の貯蔵庫において、前記リード線が配線された前記ガイド溝の開放部における縁部には、リード線がガイド溝に嵌入される方向と交差する方向に突起が設けられていることを特徴とする。
【発明の効果】
【０００７】
請求項１に係る貯蔵庫では、断熱開閉扉の周縁を形成する扉フレームにおいて、パッキンを固定する固定部と一体に形成されたガイド溝に、断熱空間に設けられたヒータ線と電源とをつなぐリード線を配線しているので、リード線の配線経路を形成する為の部材を別途必要とせず、且つ、配線作業を容易に行うことが可能である。従って、組み立て作業に関する工数を削減するとともに、装置のコストダウンが可能となる。
【０００８】
また、請求項２に係る貯蔵庫では、ガイド溝の開放部が固定部に固定されたパッキンにより被覆されるので、ガイド溝に配線されたリード線をパッキンにより、ガイド溝から外れることなくガイド溝内に保持することが可能である。従って、ガイド溝に専用の固定部材等を設けることなく、リード線の保持が可能となる。
【０００９】
また、請求項３に係る貯蔵庫では、ガイド溝の開放部における縁部に、リード線がガイド溝に嵌入される方向と交差する方向に突起が設けられているので、別途専用の部材を必要とすることなく、突起によりリード線をガイド溝から外れることなくガイド溝内に保持することが可能である。
【発明を実施するための最良の形態】
【００１０】
以下、本発明に係る貯蔵庫についてプレハブ式冷凍庫１に具体化した実施形態を図面に基づき詳細に説明する。図１は、本実施形態に係るプレハブ式冷凍庫の斜視図である。
図１に示すように、プレハブ式冷凍庫１は、断熱パネル２が複数枚連結され、天井３及び側壁４を構成している。側壁４の前面５には、設置面６まで開口された貯蔵物の搬入、搬出のための開口部７を有しており、開口部７には断熱開閉扉８が開閉自在に取り付けられている。断熱開閉扉８はヒンジ等を介して揺動開閉可能に装着されており、ロック部材９により閉鎖状態にロックされるようになっている。また、庫内の冷却を行う冷凍空気調和機１０が、それぞれ室内機１１と室外機１２とに分離して設置されている。尚、冷凍空気調和機１０については、既に公知であり、その詳細の説明については省略する。
【００１１】
断熱開閉扉８の周縁部には、後述するパッキン１３が取り付けられており、閉扉時に断熱開閉扉８に密着して、庫内の冷気が漏れ出さないように密封する（図３参照）。また、本実施形態に係るプレハブ式冷凍庫１は、庫外から庫内へと台車等で貯蔵物の出し入れを行うために、開口部床面に敷居を形成せず、出入口の下縁部が設置面に対して開口された所謂ロールインタイプの貯蔵庫であり、開口部７は設置面６に対して開放されている。それに伴い、開口下縁部１４の密封をするため、断熱開閉扉８の下縁には摺りゴム１５が設置面６に摺接し、更に閉扉時に庫側に密着するように設置されている。
【００１２】
次に、断熱開閉扉８の構造について図２乃至図５を用いて詳細について説明する。図２は、本実施形態に係るプレハブ式冷凍庫の断熱開閉扉を示した斜視図である。図３は断熱開閉扉の閉扉時において、図２の線Ａ−Ａで断熱開閉扉を切断した矢視断面図である。図４は断熱開閉扉の特にパッキン付近について示した断面図である。図５は図２の線Ｂ−Ｂで断熱開閉扉を切断した矢視断面図である。
断熱開閉扉８は、扉の周縁を形成する扉フレーム２０、閉扉時に庫内に面する内側扉パネル２１、庫外に面する外側扉パネル２２、及びその中空部に充填された断熱材２３とにより基本的に構成されている。
また、断熱開閉扉８の裏面側は、その周縁を除いた中央部分１６が厚肉に形成され、断熱開閉扉８の閉鎖時には、扉裏面の上縁から左右の側縁が、開口部７の口縁における上縁から左右の側縁に当接するようになっており、更に、断熱開閉扉８の裏面における上縁から左右の側縁にわたって、弾性素材を筒状に押出成形してなるパッキン１３が装着されている。
【００１３】
更に、扉フレーム２０には、内側扉パネル２１を嵌着する嵌着部２５、外側扉パネル２２を嵌着する嵌着部２６、及びパッキン１３を固定する差込溝２７を有しており、更に後述する２本のリード線２８を収納するガイド溝２９が前記嵌着部２５、２６、差込溝２７とともに一体に形成されている。ここで、差込溝２７及びガイド溝２９は、中央部分１６を囲むように断熱開閉扉８の周囲に形成されている。
組み立てに際しては、扉周縁部を構成する扉フレーム２０の嵌着部２５に内側扉パネル２１を嵌着し、外側扉パネル２２を嵌着部２６に嵌着して内部にウレタンフォーム等の断熱材２３を充填して断熱開閉扉８を構成するものである。
【００１４】
パッキン１３は、図４に示すように、内部に３層の空気層３１、３２、３３を有しており、底部には差込部３４が設けられている。差込部３４は、先端部よりパッキン１３側に所定の傾きを持って広がる傾斜部３５を有し、その終端部分には抜け防止用の係止部３６を有している。
パッキン１３を取り付ける際には、差込部３４を扉フレーム２０の差込溝２７に挿嵌し、係止部３６をそれぞれ差込溝２７に形成された係合片３７と係合させることにより、パッキン１３が扉フレーム２０から抜けることを防止する（図４参照）。
【００１５】
また、パッキン１３が扉フレーム２０に取り付けられると、ガイド溝２９に形成される開放部３８は、パッキン１３により被覆され、蓋がされた状態となる。従って、別途リード線２８を固定する部材を取り付ける必要なく、ガイド溝２９に配置されたリード線２８がガイド溝２９から外れることがないように保持することが可能である。
また、ガイド溝２９の開放部３８における縁部には、リード線２８がガイド溝に嵌入される方向と交差する方向（図４中、左右方向）に突起部３９が設けられている。突起部３９も、前記パッキン１３と同様にリード線２８がガイド溝２９から外れることがないようにリード線２８を保持するものである。従って、別途リード線２８を固定する部材を取り付ける必要なく、リード線２８をガイド溝２９内に保持することが可能である。
【００１６】
一方、断熱開閉扉８が取り付けられた側壁４を形成する断熱パネル２は、前記断熱開閉扉８の構造と同様に、表面壁４２、裏面壁４３、及び側面壁４４とで形成される空間内にウレタンフォーム等の断熱材４５を充填することにより形成される。そして、側壁４に設けられた開口部７には、その周囲を被覆する扉枠４７が取り付けられている。扉枠４７は、電気絶縁性の硬質発泡合成樹脂製であり、略断面Ｌ字状からなる。
【００１７】
更に、扉枠４７には、外側面４８に断面略Ｕ字状の２条のヒータ線用溝５０、５１が互いに平行にかつ長手通し状に設けられている。そして、ヒータ線用溝５０、５１をそれぞれ被覆するようにして板状のヒータプレート５２がその上に取り付けられている。ヒータプレート５２は、その一面がヒータ線用溝５０、５１内に配線される扉枠用ヒータ線５３に接触されるとともに、断熱開閉扉８を閉扉した際には、その反対面がパッキング１３に当接されるように設けられている（図３参照）。ヒータプレート５２は、例えばアルミニウム合金製形材あるいはステンレス鋼製板等の熱伝導性の大きい部材にて形成されている。
従って、扉枠用ヒータ線５３及びヒータプレート５２によりパッキン１３を加温することができるので、庫内と庫外の温度差により扉と庫体間に介在するパッキン１３に結露した水分が凍結することを防止できる。それにより、扉の開閉を確実に行うことができ、また、パッキン１３が外れることについても防止することができる。
【００１８】
尚、前記実施形態の説明においては、図３及び図４を用いて断熱開閉扉８の正面から見て左縁部（図２中、右側部分）のみを説明したが、上縁部及び右縁部（それぞれ図２中、上側部分、左側部分）に関しても、リード線２８が配線されていない点を除けば、左縁部と同一の構成を有する。従って、ここでは、その説明を省略する。
【００１９】
続いて、断熱開閉扉８下縁部の摺りゴム１５について図５を用いて説明する。前記したように断熱開閉扉８の下縁には、摺りゴム１５が装着されている。この摺りゴム１５はゴム板から形成されており、断熱開閉扉８の表面側の下縁から裏面側の下縁にわたり、下方に突出しつつ略Ｕ字形に回曲されて装着されている。
具体的には、摺りゴム１５の一端縁が、断熱開閉扉８の表面側の下端部に当てられ、取付板５５を介してネジ５６を断熱材２３内にネジ込むことよって固定される。一方、断熱開閉扉８の裏面の下縁には、パッキン１３の厚みとほぼ同じ厚みを有するスペーサ５７が配される。また、断熱開閉扉８の下縁にあたる断熱材２３及びスペーサ５７の下方には、ヒータ取付板５８が固定されている。そして、摺りゴム１５の他端縁は、ヒータ取付板５８の下側を通って略Ｕ字形をなして断熱開閉扉８の裏面側に回され、スペーサ５７に当てられたのち、取付板６０を介して差込溝２７よりネジ６１をねじ込むことによって固定されている。
【００２０】
前記方法により取り付けられた摺りゴム１５は、断熱開閉扉８の下縁部にヒータ取付板５８とともに、閉塞された断熱空間６３を形成する。断熱空間６３は、略直方体の形状を有し、開口下縁部１４において断熱効果を有する。更に、摺りゴム１５内の断熱空間６３を加温して、摺りゴム１５等の結露や凍結を防止するため、ヒータ線６４、リード線２８及びその接合部６６からなるヒータ部６７が断熱開閉扉８に設置されている（図２参照）。また、ヒータ部６７への給電は、側壁４に配置された電源ユニット６８から外部配線６９を介して断熱開閉扉８の上部付近に設けられた配線孔７０より行われる。
【００２１】
そして、断熱空間６３内のヒータ取付板５８には、略全面に渡り断熱空間６３に対向してヒータ線６４が設置されており、断熱空間６３内の空気を加温する。図５に示すように、ヒータ取付板５８は熱伝導性に優れた金属板を設置面６に向けて開口するように箱状に折り曲げた構造を有し、この中にヒータ線６４をアルミ箔テープ等の接着テープ（図示せず）にて固定して配置している。
また、ヒータ線６４への給電用としてリード線２８が、前記したように、扉フレーム２０のガイド溝２９を通して配線されている。リード線２８は、ヒータ取付板５８に設けられた配線孔７１を通して断熱空間６３に導入されて、ヒータ線６４と接合部６６とにより接合されている。
【００２２】
ここで、ヒータ線６４は、断熱空間６３内の空気を直接加温すると共に、ヒータ線６４が固定されたヒータ取付板５８は熱伝導性の良い金属製であり、且つ、断熱空間６３上面の略全体に渡って楕円形状に配置されおり、対向面積を広く取ることができるため、断熱空間６３内の空気を均一にしかも迅速に加温することができる。従って、加温効率は極めて良好であり、摺りゴム１５部分の結露、凍結を効率よく防止することができる。
【００２３】
次に、断熱空間６３及びガイド溝に配線されたヒータ線６４及びリード線の配線構造について図６を用いて詳細に説明する。図６はリード線及びヒータ線の配線構造について示した模式図である（尚、図６では、説明の為、断熱開閉扉７のパッキン１３は取り外した状態にある）。
【００２４】
摺りゴム１５内のヒータ線６４への給電は、図６に示すように、断熱開閉扉７の扉フレーム２０上に形成されたガイド溝２９内に配設されたリード線２８により行われる。
先ず、２本のリード線２８は、プレハブ式冷凍庫１の側壁４に設置された電源ユニット６８より外部配線６９を介して断熱開閉扉８の右側面部に設けられた配線孔７０から断熱開閉扉８内に導かれる。更に、配線孔７０から導かれたリード線２８は、ガイド溝２９内を通って断熱開閉扉８の上縁から下縁まで導かれ、ヒータ取付板５８に形成された配線孔７１より断熱空間６３内に導かれる。そして、断熱空間に導かれたリード線２８は、接合部６６を介してヒータ線６４に接続され、ヒータ線６４は断熱空間６３上面の略全体に渡って楕円形状に配置される。
【００２５】
以上より、ヒータ線６４に給電を行うリード線２８を扉フレーム２０に形成されたガイド溝２９に通すことにより配線したので、扉フレーム２０の成形時において、ガイド溝２９を、パッキン１３を固定する為の差込溝２７等とともに一体成形により成形することが可能である。従って、リード線２８の配線が容易となるとともに、部品数を減少させ、コストダウンが可能となる。
【００２６】
以上詳細に説明したとおり、本実施形態に係るプレハブ式冷凍庫１では、ヒータ線６４に給電を行うリード線２８を扉フレーム２０に形成されたガイド溝２９に通すことにより配線したので、扉フレーム２０の成形時において、ガイド溝２９を、パッキン１３を固定する為の差込溝２７等とともに一体成形により成形することが可能である。従って、リード線の配線経路を形成する為の別途専用部材を必要とすることなく、リード線２８の配線を容易化し、且つ、部品数を減少させ、コストダウンが可能となる。
また、ガイド溝２９に形成される開放部３８は、パッキン１３により被覆されるので、別途リード線２８を固定する部材を取り付ける必要なく、ガイド溝２９に配置されたリード線２８がガイド溝２９から外れることがないように保持することが可能である。
更に、ガイド溝２９の開放部３８における縁部には、リード線２８がガイド溝に嵌入される方向と交差する方向（図４中、左右方向）に突起部３９が設けられているので、リード線２８がガイド溝２９から外れることがないようにリード線２８を保持することができる。従って、別途リード線２８を固定する部材を取り付ける必要なく、リード線２８をガイド溝２９内に保持することが可能である。
【００２７】
尚、本発明は前記実施形態に限定されるものではなく、本発明の趣旨を逸脱しない範囲内で種々の改良、変形が可能であることは言うまでもない。
例えば、本実施形態においては、ガイド溝２９を、パッキン１３を固定する差込溝２７に隣接して設け、パッキン１３が固定された際にパッキン１３にて開放部３８が被覆されるように構成しているが、差込溝２７と一定の間隔を有して配置し、パッキン１３により開放部３８が被覆されないようにすることも可能である。その際には、突起部３９によりリード線２８が外れることのないよう保持することが可能である。
また、差込溝２７とガイド溝２９とをそれぞれ別個に形成することなく、差込溝２７とガイド溝２９の機能とを併せ持った、一つの溝のみを扉フレーム２０に形成することも可能である。
【図面の簡単な説明】
【００２８】
【図１】本実施形態に係るプレハブ式冷凍庫の斜視図である。
【図２】本実施形態に係るプレハブ式冷凍庫の断熱開閉扉を示した斜視図である。
【図３】断熱開閉扉の閉扉時において、図２の線Ａ−Ａで断熱開閉扉を切断した矢視断面図である。
【図４】本実施形態に係る断熱開閉扉の特にパッキン付近について示した断面図である。
【図５】図２の線Ｂ−Ｂで断熱開閉扉を切断した矢視断面図である。
【図６】リード線及びヒータ線の配線構造について示した模式図である。
【符号の説明】
【００２９】
１………プレハブ式冷凍庫      ２………断熱パネル      ６………設置面
７………開口部      ８………断熱開閉扉      １３………パッキン
１４………開口下縁      １５………摺りゴム      ２０………扉フレーム
２７………差込溝      ２８………リード線      ２９………ガイド溝
３８………開放部      ３９………突起部      ６３………断熱空間
６４………ヒータ線      ６８………電源ユニット
【図１】
2005147476.tif 000003
【図２】
2005147476.tif 000004
【図３】
2005147476.tif 000005
【図４】
2005147476.tif 000006
【図５】
2005147476.tif 000007
【図６】
2005147476.tif 000008